(57)【要約】  画像のぼけを抑制できる画像露光装置（１０）および画像露光方法を提供する。画像露光装置は、画素（２１）を有する画像表示装置（２０）と、画像表示装置の画像を記録する感光性記録媒体（４０）を、感光性記録媒体の露光面（４０Ａ）を画像表示装置に対向させて支持する感光性記録媒体支持部と、画像表示装置と感光性記録媒体との間に設けられ、画素からの光を平行光にするコリメート部（５０）と、画像表示装置と感光性記録媒体との間に設けられ、画素からの光の光透過率が５０％以下である吸収層（６０）と、を備える。
2019059176.tif 000002
【特許請求の範囲】
【請求項１】
画素を有する画像表示装置と、  前記画像表示装置の画像を記録する感光性記録媒体を、前記感光性記録媒体の露光面を前記画像表示装置に対向させて支持する感光性記録媒体支持部と、  前記画像表示装置と前記感光性記録媒体支持部との間に設けられ、前記画素からの光を平行光にするコリメート部と、  前記画像表示装置と前記感光性記録媒体支持部との間に設けられ、前記画素からの光の光透過率が５０％以下である吸収層と、  を備える画像露光装置。
【請求項２】
前記吸収層が、ニュートラルデンシティーフィルタである請求項１に記載の画像露光装置。
【請求項３】
前記コリメート部が、スリット、ファイバーオプティックプレート、キャピラリプレート、及び、複数の開口を有する透過部材を３層以上積層してなる光制御部から選ばれる少なくとも１つである請求項１又は２に記載の画像露光装置。
【請求項４】
前記吸収層の光透過率が、２０％以下である請求項１から３のいずれか１項に記載の画像露光装置。
【請求項５】
前記吸収層の光透過率が、０．００１％以上である請求項１から４のいずれか１項に記載の画像露光装置。
【請求項６】
前記画像表示装置から前記感光性記録媒体支持部に支持された前記感光性記録媒体の前記露光面の位置に直接的に到達する光量をＡ、前記画像表示装置から前記感光性記録媒体の前記露光面の位置に間接的に到達する光量をＢとしたとき、Ｂ／Ａが１／１００００以下である請求項１から５のいずれか１項に記載の画像露光装置。
【請求項７】
前記画像表示装置が二次元状に配列された画素を有し、  前記感光性記録媒体の前記露光面の二次元状の全ての領域を同時に露光する請求項１から６のいずれか１項に記載の画像露光装置。
【請求項８】
前記画像表示装置が一次元状に配列された前記画素を有し、  前記画像表示装置及び前記感光性記録媒体支持部に支持された前記感光性記録媒体の少なくともいずれか一方を、前記画像表示装置の前記画素の配列方向に対して垂直となる方向に沿って走査する走査部と、を備える請求項１から６のいずれか１項に記載の画像露光装置。
【請求項９】
前記画像表示装置が、前記感光性記録媒体の前記露光面より小さい面積となる領域の上に二次元状に配列された画素を有し、  前記画像表示装置及び前記感光性記録媒体支持部に支持された前記感光性記録媒体の少なくともいずれか一方を前記画像表示装置の前記画素の配列方向と前記画素の配列方向に対して垂直となる方向の両方に沿って走査する走査部を備える請求項１から６のいずれか１項に記載の画像露光装置。
【請求項１０】
前記画素からの光による露光範囲において、隣り合う前記露光範囲が一部重複する請求項８又は９に記載の画像露光装置。
【請求項１１】
前記画像表示装置が、着脱自在である請求項１から１０の何れか１項に記載の画像露光装置。
【請求項１２】
画素を有する画像表示装置を準備するステップと、  前記画像表示装置の画像を記録する感光性記録媒体を、前記感光性記録媒体の露光面を前記画像表示装置に対向させて支持する感光性記録媒体支持部を準備するステップと、  前記画像表示装置と前記感光性記録媒体支持部との間に配置された、前記画素からの光を平行光にするコリメート部と、前記画素からの光の光透過率が５０％以下である吸収層とを介して、前記画像表示装置からの光を、前記感光性記録媒体に露光するステップと、  を含む画像露光方法。
【発明の詳細な説明】
【技術分野】
【０００１】  本発明は画像露光装置、および画像露光方法に係り、画像を感光性記録媒体に記録する画像露光装置、および画像露光方法に関する。
【背景技術】
【０００２】  近年、インスタントフィルム等の感光性記録媒体に、発光表示スクリーン等の画像表示装置の表示画像を露光する装置が種々検討されている。【０００３】  例えば、特許文献１には、発光表示スクリーンとインスタントフィルムとの間に、コリメーション層を配置した装置が開示されている。特許文献１では、コリメーション層が発光表示スクリーンからの非平行光を遮断するので、装置内のレンズ等を不要にすることができる。
【先行技術文献】
【特許文献】
【０００４】
【特許文献１】米国特許第９１２６３９６号明細書
【発明の概要】
【発明が解決しようとする課題】
【０００５】  しかしながら、特許文献１の装置では、発光表示スクリーンからの光が、コリメーション層で僅かに反射される。その反射された光は、さらに装置内の光学系で反射、または乱反射され、迷光と呼ばれる意図しない光になる。その迷光が、露光の際にインスタントフィルムに到達すると、画像が過露光され、画像のぼけが生じ、画質の低下を招く懸念がある。コリメーション層の反射光に起因する迷光が僅かであっても、感度の高いインスタントフィルムでは、迷光の光量と発光表示スクリーンからの透過光の光量の比が画質に影響する。【０００６】  本発明はこのような事情に鑑みてなされたもので、迷光に起因する画質の低下を抑制できる画像露光装置、および画像露光方法を提供することを目的とする。
【課題を解決するための手段】
【０００７】  本発明の目的を達成するために、第１形態の画像露光装置は、画素を有する画像表示装置と、画像表示装置の画像を記録する感光性記録媒体を、感光性記録媒体の露光面を画像表示装置に対向させて支持する感光性記録媒体支持部と、画像表示装置と感光性記録媒体支持部との間に設けられ、画素からの光を平行光にするコリメート部と、画像表示装置と感光性記録媒体支持部との間に設けられ、画素からの光の光透過率が５０％以下である吸収層と、を備える。【０００８】  第２形態の画像露光装置において、吸収層が、ニュートラルデンシティーフィルタである。【０００９】  第３形態の画像露光装置において、コリメート部が、スリット、ファイバーオプティックプレート、キャピラリプレート、及び、複数の開口を有する透過部材を３層以上積層してなる光制御部から選ばれる少なくとも１つである。【００１０】  第４形態の画像露光装置において、吸収層の光透過率が、２０％以下である。【００１１】  第５形態の画像露光装置において、吸収層の光透過率が、０．００１％以上である。【００１２】  第６形態の画像露光装置において、画像表示装置から感光性記録媒体支持部に支持された感光性記録媒体の露光面の位置に直接的に到達する光量をＡ、画像表示装置から感光性記録媒体の露光面の位置に間接的に到達する光量をＢとしたとき、Ｂ／Ａが１／１００００以下である。【００１３】  第７形態の画像露光装置において、画像表示装置が二次元状に配列された画素を有し、感光性記録媒体の露光面の二次元状の全ての領域を同時に露光する。【００１４】  第８形態の画像露光装置において、画像表示装置が一次元状に配列された画素を有し、画像表示装置及び感光性記録媒体支持部に支持された感光性記録媒体の少なくともいずれか一方を、画像表示装置の画素の配列方向に対して垂直方向に走査する走査部と、を備える。【００１５】  第９形態の画像露光装置において、画像表示装置が、感光性記録媒体の露光面より小さい面積となる領域の上に二次元状に配列された画素を有し、画像表示装置及び感光性記録媒体支持部に支持された感光性記録媒体の少なくともいずれか一方を画像表示装置の画素の配列方向と画素の配列方向に対して垂直となる方向の両方に沿って走査する走査部を備える。【００１６】  第１０形態の画像露光装置において、画素からの光による露光範囲において、隣り合う露光範囲が一部重複する。【００１７】  第１１形態の画像露光装置において、画像表示装置が、着脱自在である。【００１８】  第１２形態の画像露光方法において、画素を有する画像表示装置を準備するステップと、画像表示装置の画像を記録する感光性記録媒体を、感光性記録媒体の露光面を画像表示装置に対向させて支持する感光性記録媒体支持部を準備するステップと、画像表示装置と感光性記録媒体支持部との間に配置された、画素からの光を平行光にするコリメート部と、画素からの光の光透過率が５０％以下である吸収層とを介して、画像表示装置からの光を、感光性記録媒体に露光するステップと、を含む。
【発明の効果】
【００１９】  本発明によれば、迷光に起因する画像のぼけの発生を低減し、画質の低下を抑制できる。
【図面の簡単な説明】
【００２０】
【図１】図１は、本発明の原理を説明する図である。
【図２】図２は、本発明の露光方法を示すフローチャートである。
【図３】図３は、第１実施形態の画像露光装置の分解斜視図ある。
【図４】図４は、第１実施形態の画像露光装置の断面図である。
【図５】図５は、第２実施形態の画像露光装置の斜視図である。
【図６】図６は、第２実施形態の画像露光装置の変形例の斜視図である。
【図７】図７は、第３実施形態の画像露光装置の斜視図である。
【図８】図８は、第３実施形態の画像露光装置の変形例の斜視図である。
【発明を実施するための形態】
【００２１】  以下、添付図面にしたがって本発明の好ましい実施形態について説明する。本発明は以下の好ましい実施形態により説明される。本発明の範囲を逸脱すること無く、多くの手法により変更を行うことができ、実施形態以外の他の実施形態を利用することができる。したがって、本発明の範囲内における全ての変更が特許請求の範囲に含まれる。
【００２２】  本発明の原理を、図１を参照して説明する。図１に示されるように、画像露光装置１０は、画像表示装置２０と、感光性記録媒体４０を支持する感光性記録媒体支持部７０とを備える。感光性記録媒体支持部７０は、感光性記録媒体４０を直接的に支持しても、間接的に支持してもよい。
【００２３】  画像表示装置２０は画素２１を備える。画素２１からの光２２が画像表示装置２０の画像表示面２３から放射される。画素２１とは、画像表示面２３を構成する色情報の最小単位である。画素２１を有することにより、画像表示装置２０は、画像を表示できる。
【００２４】  画像表示装置２０は画像を表示するため複数の画素２１を備えることが好ましい。画素２１を有する画像表示装置２０として、液晶表示（LCD: liquid crystal display）装置、有機発光ダイオード（OLED: Organic Light Emitting Diode）表示装置、プラズマ表示装置、発光ダイオード(LED: Light Emitting Diode)表示装置、CRT（Cathode Ray Tube）表示装置等を適用することができる。
【００２５】  しかしながら、画素２１が何らかの色情報を表示でき、画像を表示することができれば、画像表示装置２０は上述の構造に限定されない。
【００２６】  ここで、画素２１には、例えば、液晶表示装置に代表されるようにバックライトユニットの光が画素２１を介して放射する場合、および有機発光ダイオード表示装置に代表されるように、それ画素２１自体が光を放射する場合とを含む。
【００２７】  画像表示装置２０の画像表示面２３は、二次元状に配列された画素２１を有していても、一次元状に配列された画素２１を有していてもよい。また、二次元状の画像表示面２３は、平面視で矩形であっても、矩形以外の形状であってもよい。
【００２８】  感光性記録媒体支持部７０は、感光性記録媒体４０が、画像表示装置２０の画像表示面２３に対向する位置に配置されるように、感光性記録媒体４０を支持する。感光性記録媒体支持部７０は、感光性記録媒体４０を支持するできる限り、その構造は特に限定されない。
【００２９】  感光性記録媒体４０は、吸収層６０、およびコリメート部５０を通過した平行光２２Ａより露光でき、画像を形成できるものであれば、特に限定されない。
【００３０】  感光性記録媒体４０は、例えば、支持体と、支持体の上に設けられた感光材とから構成される。感光性記録媒体４０は露光面４０Ａを有する。感光性記録媒体４０として、写真フィルム，乾板，印画紙や青写真，陽画感光紙，製版用湿板、フォトレジスト、インスタントフィルムなど、感光性をもった製品であれば、何でもかまわない。インスタントフィルムを適用することが好ましい。
【００３１】  コリメート部５０が、画像表示装置２０と感光性記録媒体４０を支持する感光性記録媒体支持部７０との間に設けられる。コリメート部５０は、画素２１からの光２２を平行光２２Ａにする。コリメート部５０は、光２２の中の平行光２２Ａを、感光性記録媒体４０の上に通過させる（図１の右側の画素２１を参照）。
【００３２】  コリメート部５０は、光２２の中の平行光２２Ａを、感光性記録媒体４０の上に到達させる。平行光２２Ａが感光性記録媒体４０を露光する。コリメート部５０により平行光２２Ａが感光性記録媒体４０の露光面４０Ａに照射されるので、感光性記録媒体４０に形成される画像にぼけ等が発生することが低減され、画質の低下が抑制される。コリメート部５０は、画像のぼけの原因になる平行光２２Ａ以外の光が感光性記録媒体４０の露光面４０Ａに露光されることを防止する。
【００３３】  平行光２２Ａとは、コリメート部５０を通過し、感光性記録媒体４０の露光面４０Ａに照射される光が相互に平行であることを意味する。ここで平行は、略平行を含み、感光性記録媒体４０に形成される画像にぼけが生じない程度の平行を含む。
【００３４】  図１に示される画像露光装置１０では、平行光２２Ａは画像露光装置１０の画像表示面２３に直交、または略直交する光が含まれる。
【００３５】  感光性記録媒体４０の露光面４０Ａに照射される光が相互に平行であり画像のぼけを抑制できる限り、平行光２２Ａは、画像露光装置１０の画像表示面２３に所定の角度傾いた光であってもよい。所定角度傾いた光が感光性記録媒体４０の露光面４０Ａに到達し、それ以外の光が感光性記録媒体４０の露光面４０Ａに到達しない場合、所定角度傾いた光が平行光になる。
【００３６】  コリメート部５０は、画素２１からの光２２を平行光２２Ａにすることができれば、その構造は特に限定されない。例えば、スリット、ファイバーオプティックプレート、キャピラリプレート、および、複数の開口を有する透過部材を３層以上積層してなる光制御部から選ばれる少なくとも１つを適用することができる。
【００３７】  スリット（ルーバーと称される）は、複数の光透過部と、隣接する空間に光到達しないように光吸収体とから構成される。ファイバーオプティックプレートは、二次元的に複数配列された、光を転送する光ファイバーと、光ファイバーから漏れた光を吸収する吸収体ガラスと、を含むプレートである。キャピラリプレートは、二次元的に複数配列された、数十μｍ以下の径を有する毛細管（キャピラリ）の集合体からなるプレートである。
【００３８】  複数の開口を有する透過部材を３層以上積層してなる光制御部は、視差バリアを３層以上重ねた積層体である。視差バリアは、光が進む方向を制御する開口部を有する遮光層である。
【００３９】  画像露光装置１０はコリメート部５０を備えるので、感光性記録媒体４０に画像露光装置１０からの光を結像するためのレンズ等の光学系を不要にすることができる。
【００４０】  吸収層６０が、画像表示装置２０と感光性記録媒体４０との間に設けられる。図１においては、吸収層６０は、画像表示装置２０とコリメート部５０との間に配置される。吸収層６０は、感光性記録媒体４０とコリメート部５０との間に設けることができる。吸収層６０は、露光に用いられる波長域において、画素２１からの光の光透過率が５０％以下である。露光に用いられる波長域は、可視光領域である４００ｎｍ以上７００ｎｍ以下の範囲であることが好ましい。
【００４１】  吸収層６０の光透過率は、吸収層６０への入射光強度Ｉ０と吸収層６０の透過光強度Ｉの比率（Ｔ＝Ｉ／Ｉ０（％））で求めることができる。露光に用いられる波長域において、吸収層６０の光透過率が、波長により異なる場合には、平均光透過率で求めることが好ましい。平均光透過率は、４００ｎｍから７００ｎｍの間で、所定間隔（例えば、１０ｎｍごと）ごとの光透過率の平均値で求めることができる。
【００４２】  吸収層６０は、ニュートラルデンシティーフィルタ（以下ＮＤ（Neutral Density）フィルタ）であることが好ましい。ＮＤフィルタは中立な光学濃度のフィルタを意味し、露光に用いられる波長域において、波長に影響を与えることなく、均等に光を吸収（吸収率で５０％以上９９．９９９％以下；光透過率で０．００１％以上５０％以下）できるフィルタである。ＮＤフィルタは、露光に用いられる波長域において、均等に光を吸収できるので、後述するように迷光の影響を低減することができる。
【００４３】  ＮＤフィルタは、吸収型と反射型の２種類がある。迷光が反射光に起因するため、反射光を抑制できる吸収型のＮＤフィルタが、反射型のＮＤフィルタより好ましい。ＮＤフィルタは、支持体の中に吸収色素を混ぜることにより作製でき、または、支持体に色素を混ぜた透明材料を塗布することにより作製できる。
【００４４】  なお、ＮＤフィルタの特性は、一般的に、光学濃度(Optical Density; OD)により定義される。光学濃度ＯＤと光透過率Ｔとの間は、ＯＤ＝ｌｏｇ１０（１／Ｔ） (但しＴ≦１)の関係がある。ＯＤ＝０．３とすると、光透過率Ｔ＝１／１００．３＝５０％となる。吸収層６０としてＮＤフィルタを用いることにより、所望の光透過率を有する吸収層６０が容易に得られる。
【００４５】  吸収層６０としてＮＤフィルタを例示したが、露光に用いられる波長域において、画素２１からの光の光透過率が５０％以下である限りにおいて、特に限定されない。
【００４６】  次に、本発明の画像露光装置１０に設けられた吸収層６０が、迷光の影響を低減できる作用について、図１を参考にして説明する。
【００４７】  ここで、迷光２２Ｂとは、画像表示装置２０から感光性記録媒体４０に間接的に到達する光であり、感光性記録媒体４０により反射された光のうち、画像表示装置２０、コリメート部５０などに反射され、再び、感光性記録媒体４０に到達する光のことを意味する。
【００４８】  図１に示されるように画像露光装置１０は、画像表示装置２０と、吸収層６０と、コリメート部５０と、感光性記録媒体４０を支持する感光性記録媒体支持部７０と、をこの順で備える。画像表示装置２０から放射した光２２は、吸収層６０、およびコリメート部５０を通過する（図１に左側の画素２１を参照）。コリメート部５０により光２２が平行光２２Ａにされ、平行光２２Ａが感光性記録媒体支持部７０に支持された感光性記録媒体４０の露光面４０Ａに照射される。
【００４９】  画像露光装置１０には、光学接着材等は用いられていない。したがって、画像表示装置２０と吸収層６０と間に空気層Ａ１が、吸収層６０とコリメート部５０との間に空気層Ａ２が、およびコリメート部５０と感光性記録媒体４０との間に空気層Ａ３が存在する。
【００５０】  空気層Ａ１、Ａ２、およびＡ３の屈折率は１である。画像表示装置２０と、吸収層６０、コリメート部５０、および感光性記録媒体４０のそれぞれの屈折率は、略１．５である。そのため、画像表示装置２０と空気層Ａ１と界面である出射面２０ｏｕｔでは、光の反射が生じる。同様に、空気層Ａ１と吸収層６０との界面である入射面６０ｉｎ、吸収層６０と空気層Ａ２との界面である出射面６０ｏｕｔ、空気層Ａ２とコリメート部５０との界面である入射面５０ｉｎ、コリメート部５０と空気層Ａ３との界面である出射面５０ｏｕｔ、および空気層Ａ３と感光性記録媒体４０との界面である入射面４０ｉｎにおいて、光の反射が発生する。
【００５１】  ここで、入射面、および出射面は、画像表示装置２０から感光性記録媒体４０に向けて放射される光の方向を基準に便宜的に定義したものである。感光性記録媒体４０から画像表示装置２０に向けて放射される光の方向を基準とした場合は、入射面、および出射面は、出射面、および入射面と表現される。
【００５２】  一般的に、媒質Ａの屈折率をｎａ、媒質Ｂの屈折率をｎｂとすると、媒質Ａと媒質Ｂとの界面の反射率Ｒｒｅｆは以下の式で求められる。
【００５３】
【数１】
2019059176.tif 000003
【００５４】  媒質Ａが空気層Ａ１、Ａ２、およびＡ３であれば、ｎａは１になる。媒質Ｂが画像表示装置２０、吸収層６０、コリメート部５０、および感光性記録媒体４０であれば、ｎｂは１．５になる。
【００５５】  図１に示される画像露光装置１０では、数１よりＲｒｅｆ＝４（％）と求められる。吸収層６０の光透過率５０％として、画像表示装置２０からの光２２の中で平行光２２Ａ、および迷光２２Ｂが、どの程度の光量で感光性記録媒体４０の露光面４０Ａに到達するか計算を行った。表１はその計算結果をまとめたものである。
【００５６】
【表１】
2019059176.tif 000004
【００５７】  表１を参照して、各数値について説明する。画像表示装置２０の出射面２０ｏｕｔから１００％の光が放射される。１００％の光が、吸収層６０の入射面６０ｉｎで４％反射される。９６％の光が、吸収層６０の入射面６０ｉｎから吸収層６０に入射する。透過光とは、吸収層６０、およびコリメート部５０に反射されず通過する光を意味している。
【００５８】  吸収層６０を通過した９６％の光は、吸収層６０の出射面６０ｏｕｔで４％反射され、さらに吸収層６０により５０％吸収される。その結果、吸収層６０の出射面６０ｏｕｔから４６．１％の光がコリメート部５０に向けて放射される。
【００５９】  ４６．１％の光が、コリメート部５０の入射面５０ｉｎで４％反射される。４４．２％の光が、コリメート部５０の入射面５０ｉｎからコリメート部５０に入射する。
【００６０】  コリメート部５０を通過した４４．２％の光は、コリメート部５０の出射面５０ｏｕｔで４％反射される。その結果、コリメート部５０の出射面５０ｏｕｔから４２．５％の光が平行光２２Ａとして感光性記録媒体４０に向けて照射される。
【００６１】  最後に、４２．５％の光が、感光性記録媒体４０の入射面４０ｉｎで４％反射される。４０．８％の光が、感光性記録媒体４０の入射面４０ｉｎからコリメート部５０に入射し、感光性記録媒体４０を露光する。
【００６２】  一方で、感光性記録媒体４０の入射面４０ｉｎで、４２．５％の光の４％に相当する１．７％の光が、反射光として、コリメート部５０に向けて放射される。
【００６３】  １．７％の反射光は、コリメート部５０の出射面５０ｏｕｔで４％反射される。１．６３％の反射光が、コリメート部５０の出射面５０ｏｕｔからコリメート部５０に入射する。コリメート部５０を通過した１．６３％の反射光は、コリメート部５０の入射面５０ｉｎで４％反射される。その結果、コリメート部５０の入射面５０ｉｎから１．５７％の反射光が吸収層６０に向けて放射される。
【００６４】  １．５７％の反射光は、吸収層６０の出射面６０ｏｕｔで４％反射される。１．５０％の反射光が、吸収層６０の出射面６０ｏｕｔから吸収層６０に入射する。吸収層６０を通過した１．５０％の反射光は、吸収層６０の入射面６０ｉｎで４％反射され、さらに吸収層６０により５０％吸収される。その結果、吸収層６０の入射面６０ｉｎから０．７２％の反射光が画像表示装置２０に向けて放射される。
【００６５】  画像表示装置２０の出射面２０ｏｕｔで、０．７２％の反射光の４％に相当する０．０３％の光が、迷光として、感光性記録媒体４０に向けて放射される。０．０３％の迷光は、透過光と同様の光路で、感光性記録媒体４０に到達する。
【００６６】  ０．０３％の迷光は、吸収層６０の入射面６０ｉｎ、および出射面６０ｏｕｔでそれぞれ４％反射され、かつ５０％吸収される。吸収層６０の出射面６０ｏｕｔから０．０１３％の迷光が、コリメート部５０に向けて放射される。
【００６７】  ０．０１３％の迷光は、コリメート部５０の入射面５０ｉｎ、および出射面５０ｏｕｔでそれぞれ４％反射される。その結果、コリメート部５０の出射面５０ｏｕｔから０．０１２％の反射光が感光性記録媒体４０に向けて放射される。
【００６８】  この計算は、空気層を除く全ての媒体の屈折率を１．５とし、それぞれの界面での反射率を４％として計算した。
【００６９】  表１に示されるように、感光性記録媒体４０に到達する平行光２２Ａは、画像表示装置２０の出射面２０ｏｕｔから放射される１００％の光量の光に対して、４０．８％の光量の光になる。反射光は、１００％の光量の光に対して、１．７％の光量の光になる。
【００７０】  １．７％の反射光は、コリメート部５０、吸収層６０を通過して、画像表示装置２０の出射面２０ｏｕｔで反射される。この光量は、１００％の光量の光に対して、０．０３％の光量の光になる。
【００７１】  少しでも角度をもった平行光でない光は、隣、または、それより離れた感光性記録媒体４０に入射することになり、画像のぼけの原因となる迷光になる。
【００７２】  画像表示装置２０の画像表示面２３に直交する光は、界面で反射等された場合、感光性記録媒体４０の同じ位置に到達するので、画像のぼけに対する影響は小さい。しかしながら、この光も迷光の一種ともとらえることができ、その光量が小さい方が好ましい。
【００７３】  画像表示装置２０からの光であって感光性記録媒体支持部７０に支持された感光性記録媒体４０の露光面４０Ａの位置に直接的に到達する平行光２２Ａの光量と、画像表示装置２０からの光であって感光性記録媒体支持部７０に支持された感光性記録媒体４０の露光面４０Ａの位置に間接的に到達する迷光２２Ｂと光量との差が大きくない場合に、画像のぼけとして現れる。平行光２２Ａの光量と迷光２２Ｂと光量との差は、以下の比で確認することができる。
【００７４】  上述の実施形態において、この反射光は迷光として、吸収層６０およびコリメート部５０を通過して感光性記録媒体４０に到達する。この光量は、１００％の光量の光に対して、０．０１２％の光量の光になる。
【００７５】  したがって、上述の実施形態では、平行光２２Ａの光量をＡとし、迷光２２Ｂの光量をＢとしたとき、その比は、Ｂ／Ａ＝０．０１２／４０．８＝１／３４６６になる。
【００７６】  一般的に、平行光２２Ａの光量Ａと迷光２２Ｂの光量Ｂとが、Ｂ／Ａ≧１／１０００の関係にある場合、画像のぼけが生じるとされている。
【００７７】  表１から、５０％の光透過率の吸収層６０を画像表示装置２０と感光性記録媒体４０との間に設けることにより、画像のぼけ等の画質の低下を防止できることが理解できる。
【００７８】  表１に示されるように、吸収層６０により、感光性記録媒体４０の露光面４０Ａに到達する平行光２２Ａの光量を５０％低減する。一方で、反射光は、吸収層６０を２回通過するので、迷光２２Ｂの光量を５０％×５０％で２５％に低減できる。これにより、平行光２２Ａの光量Ａと迷光２２Ｂの光量Ｂとの比であるＢ／Ａを小さくできる。
【００７９】  次に、画像表示装置２０と感光性記録媒体４０との間に吸収層６０を設けない場合について、画像表示装置２０からの光２２の中で平行光２２Ａ、および迷光２２Ｂが、どの程度の光量で感光性記録媒体４０に到達するか計算を行った。表２はその計算結果をまとめたものである。この計算では、空気層の屈折率を１とし、空気層を除く全ての媒体の屈折率を１．５とし、それぞれの界面での反射率を４％として計算した。
【００８０】
【表２】
2019059176.tif 000005
【００８１】  表２に示されるように、感光性記録媒体の露光面に到達する平行光（透過光）は、画像表示装置の出射面から放射される１００％の光量の光に対して、８８．５％の光量の光になる。反射光は、１００％の光量の光に対して、３．７％の光量の光になり、０．１２％の光量の光が迷光として感光性記録媒体に到達することが理解できる。
【００８２】  表２の場合、平行光の光量Ａと迷光の光量Ｂとの比は、Ｂ／Ａ＝０．１２／８８．５＝１／７３６であり、１／１０００以上である。吸収層を設けない場合、画像のぼけが発生するので、感光性記録媒体に形成される画質が低下することが理解できる。
【００８３】  迷光以外にも、コリメート部の入射面および出射面で反射した光、または画像表示装置で戻ってから内部で反射して放射される光などがある。感光性記録媒体に到達した８８．５％の平行光以外の１１．５％の光が、画像露光装置の内部で迷光となり、感光性記録媒体に到達する懸念がある。
【００８４】  次に、吸収層６０が２０％の光透過率を有する場合、および１０％の光透過率を有する場合について、感光性記録媒体４０に到達する平行光２２Ａと迷光２２Ｂの光量を計算した。表３が光透過率２０％の計算結果を示し、表４が光透過率１０％の計算結果を示す。
【００８５】
【表３】
2019059176.tif 000006
【００８６】  表３の形態の場合、平行光２２Ａの光量Ａと迷光２２Ｂの光量Ｂとの比は、Ｂ／Ａ＝０．０００８／１６．３＝１／２１６６０である。
【００８７】  迷光２２Ｂに起因する画像のぼけ等の画質の低下をより確実に抑制するためには、Ｂ／Ａ≦１／１００００であることが好ましい。吸収層６０の光透過率を２０％にすることにより、１／１００００以下を達成することができる。
【００８８】  なお、吸収層６０の光透過率を２９％以下とすることにより、Ｂ／Ａ≦１／１００００を達成することができる。
【００８９】
【表４】
2019059176.tif 000007
【００９０】  表４の形態の場合、平行光２２Ａの光量Ａと迷光２２Ｂの光量Ｂとの比は、Ｂ／Ａ＝０．０００１／８．２＝１／８６６３８である。したがって、Ｂ／Ａ≦１／１００００を十分満たしている。
【００９１】  表４に示されるように、感光性記録媒体４０の露光面４０Ａに到達する平行光２２Ａは、画像表示装置２０からの１００％の光に対して、１／１０程度の８．２％の光量の光になる。これにより露光時間が延びることになる。一方で、感光性記録媒体４０に到達する迷光２２Ｂは、表２に示される０．１２％と比較すると１／１０００程度の０．０００１％の光量の光になる。平行光２２Ａの光量が８．２％程度であっても、感光性記録媒体４０の感度が高いので、平行光２２Ａにより感光性記録媒体４０の露光面４０Ａを露光することができる。
【００９２】  画像露光装置１０を構成する画像表示装置２０、吸収層６０．コリメート部５０、および感光性記録媒体４０の特性値（屈折率、吸収率等）から、容易に平行光２２Ａと迷光２２Ｂと光量の比を求めることができる。
【００９３】  吸収層６０の光透過率は小さい方がよく、吸収層６０の光透過率は、５０％以下、好ましくは４０％以下、好ましくは３０％以下、より好ましくは２０％以下、さらに好ましくは１０％以下である。
【００９４】  吸収層６０の光透過率は、０．００１％以上、好ましくは０．０１％以上、より好ましくは０．１％以上、さらに好ましくは０．５％以上である。
【００９５】  透過率が大きすぎる場合、迷光の影響が大きく、画質の低下を抑制することが困難になる。一方、透過率が小さすぎると、露光時間が現実的な長さを超える懸念がある。
【００９６】  次に、画像露光装置１０を用いた画像露光方法について説明する。図２は、本発明の露光方法を示すフローチャートである。まず、画像表示装置２０を準備する（ステップＳ１１）。次いで、画像表示装置２０の画像を記録する感光性記録媒体４０を、感光性記録媒体４０の露光面４０Ａを画像表示装置２０に対向させて支持する感光性記録媒体支持部７０を準備する（ステップＳ１２）。ステップＳ１１の画像表示装置２０の準備と、ステップＳ１２の感光性記録媒体支持部７０の準備とは、順序に関して、いずれが先であってもよい。
【００９７】  次いで、画像表示装置２０からの光を、感光性記録媒体４０の露光面４０Ａに露光する（ステップＳ１３）。ステップＳ１３において、画像表示装置２０と感光性記録媒体支持部７０との間に配置された、画素からの光を平行光にするコリメート部５０と、画素からの光の光透過率が５０％以下である吸収層６０とを介して、画像表示装置２０からの光を、感光性記録媒体４０に露光する。
【００９８】  吸収層６０が、露光に用いられる画素の波長域の全体を吸収し、透過させる場合について説明した。これに限定されず、吸収層６０は、特定の波長域を、他の波長域より吸収し、特定の波長域の透過率を小さくすることができる。
【００９９】  例えば、画像表示装置２０の発光スペクトルと感光性記録媒体４０の感光スペクトルとに相違がある場合、これを補正するように、波長によって透過率を変えることも可能である。また、コリメート部５０などの光学部材に波長によって光透過率が異なる場合には、これを補正することも可能である。
【０１００】  例えば、Ｒ（Ｒｅｄ）、Ｇ（Ｇｒｅｅｎ）、およびＢ（Ｂｌｕｅ）の３波長で露光する場合であり、利用するコリメート部５０のＢの透過率が５０％、ＧとＲの透過率がそれぞれ２５％である場合に、吸収層６０のＢの透過率が１０％、ＧとＢの透過率がそれぞれ２０％となる条件では、Ｒ，Ｇ、Ｂすべての波長の全体の透過率は５％となる。
【０１０１】  次に、本発明の好ましい実施形態について説明する。以下の実施形態で、代表的な画像露光装置の構成について説明する。これらの実施形態は、例示の目的のみのためであり、本明細書に記載の画像露光装置を限定することを意味するものではない。
【０１０２】  ＜第１実施形態＞  図３は第１実施形態に係る画像露光装置１００の分解斜視図であり、図４は第１実施形態に係る画像露光装置１００の断面図である。
【０１０３】  図３、図４に示されるように、第１実施形態の画像露光装置１００は、画像表示装置１１０を備える。図３に示されるように、画像表示装置１１０は二次元状である。二次元状とは、Ｘ−Ｙ方向に延びる状態を意味する。第１実施形態では画像表示装置１１０はＸ−Ｙ方向に延びている。また、画像表示装置１１０の複数の画素も二次元状に配列される。
【０１０４】  二次元状の画像表示装置１１０として、例えば、スマートフォン、およびタブレットに代表される携帯端末が適用できる。画像表示装置１１０は画像を表示することができれば、画像表示方式に限定はなく、ＬＣＤ方式、ＯＬＥＤ方式等の構造が適用できる。画像表示装置は、表面ガラスを除去するのが好ましい。
【０１０５】  ＬＣＤ方式の場合、画像表示装置１１０は、例えば、光源として機能するバックライトユニット、および画像を表示するためのカラーフィルタを備える複数の画素を備える。複数の画素を保護するため、画像表示装置１１０は筐体および表面ガラス等を備えることが好ましい。
【０１０６】  図３、４に示されるように、画像露光装置１００は、吸収層を構成するＮＤフィルタ１２０を備える。吸収層を構成するＮＤフィルタ１２０が、画像表示装置１１０の画像表示面の側に設けられる。ＮＤフィルタ１２０として、富士フイルム株式会社製の写真露光用の光量調整用フィルタを用いることができる。株式会社ケンコー・トキナ、コダックおよびシグマ光機株式会社等から販売されているＮＤフィルタを用いることができる。
【０１０７】  ５０％以上の透過率を得るため、０．３以上の光学濃度（ＯＤ）を有するＮＤフィルタ１２０が、好ましくは用いられる。ＮＤフィルタ１２０は、例えば、９０μｍ±１０μｍの厚さを有する。ＮＤフィルタ１２０の厚さは、この範囲には限定されない。ＮＤフィルタ１２０は、画像表示装置１１０の画像表示面の全域を覆うことが好ましい。
【０１０８】  図３、４に示されるように、画像露光装置１００は、コリメート部としてファイバーオプティックプレート１３０を備える。ファイバーオプティックプレート１３０は、光ファイバーに入射された光を全反射して伝送する。ファイバーオプティックプレート１３０の光ファイバーのピッチは、画像表示装置１１０の画素ピッチ以下であることが好ましい。
【０１０９】  ファイバーオプティックプレート１３０は、画像表示装置１１０の画像表示面の全域を覆うことが好ましい。
【０１１０】  図３、４に示されるように、画像露光装置１００は、感光性記録媒体を構成するインスタントフィルム１４２と、インスタントフィルム１４２を収納するケース１４４とから構成されるフィルムパック１４０を備える。フィルムパック１４０を支持するための感光性記録媒体支持部である筐体１４８を備える。筐体１４８はフィルムパック１４０を着脱自在に支持することができる。
【０１１１】  ケース１４４は、複数のインスタントフィルム１４２を収納することができる。図４に示されるように、ケース１４４、及び筐体１４８には、画像表示装置１１０に対向する側に、開口部１４６が形成されている。
【０１１２】  インスタントフィルム１４２は矩形のカード形状を有する。インスタントフィルム１４２は、裏面側が露光面１４２Ａ、正面側が観察面１４２Ｂとして構成される。露光面１４２Ａが、平行光による露光により像を記録する面であり、観察面１４２Ｂが、記録された像を観察する面である。
【０１１３】  インスタントフィルム１４２の露光面１４２Ａには、露光部と、露光部を挟んでポッド部とトラップ部とを有する（不図示）。ポッド部には現像処理液を内包した現像処理液ポッドが内蔵されている。トラップ部には吸収剤が内蔵される。
【０１１４】  インスタントフィルム１４２は、露光後、ポッド部の現像処理液を露光部に展開させることにより現像処理される。ポッド部の現像処理液は、インスタントフィルム１４２をローラー対（不図示）の間に通すことで、ポッド部から絞り出され、露光部に展開される。展開処理時に余った現像処理液が、トラップ部で捕捉される。
【０１１５】  第１実施形態では画像表示装置１１０がＸ−Ｙ方向に延びる二次元状に配列さえた画素を有する。画像表示装置１１０の画像表示面は、ＮＤフィルタ１２０と、ファイバーオプティックプレート１３０と、インスタントフィルム１４２の二次元状の露光面の大きさと略同じである。したがって、画像表示装置１１０からの画像を、インスタントフィルム１４２の露光面の二次元状の全ての領域を同時に露光することができる。
【０１１６】  露光したい画像を画像表示装置１１０に表示させる。画像表示装置１１０の画素からの光は、ＮＤフィルタ１２０およびファイバーオプティックプレート１３０を通過し平行光になる。この平行光がインスタントフィルム１４２の露光面１４２Ａに到達し、インスタントフィルム１４２を同時に露光することができる。露光面の二次元状の全ての領域を同時に露光する態様として、例えば、１次元状に画素が配列された画像表示装置を、複数並べて二次元状とし、同時に露光する場合でもよい。
【０１１７】  一方で、ＮＤフィルタ１２０は、インスタントフィルム１４２に露光面１４２Ａに到達する迷光を大幅に低減する。露光後、現像処理がインスタントフィルム１４２に行われる。インスタントフィルム１４２には、画像ぼけのほとんどない、画像が形成され、画質の低下が抑制されることが、上述した原理から容易に理解できる。
【０１１８】  なお、画像表示装置１１０が画像を表示する時間を制御することで、画像表示装置１１０はシャッターの機構を持つことができる。また、画像表示装置１１０とインスタントフィルム１４２との間に、シャッター機構を設けることもできる。
【０１１９】  画像表示装置１１０が携帯端末である場合、画像表示装置１１０は、画像露光装置１００に対して着脱自在であることが好ましい。着脱自在とは、取り付け、取り外しできることを意味する。例えば、画像表示装置１１０の使用者が、画像表示装置１１０により画像を取得する。画像表示装置１１０を画像露光装置１００の一部の構成として取り付ける。画像表示装置１１０の画像により、インスタントフィルム１４２を露光する。露光後、画像露光装置１００から画像表示装置１１０を取り出し、画像表示装置１１０により新たな画像を取得することができる。
【０１２０】  ＜第２実施形態＞  第２実施形態について図５を参照して説明する。なお、上述した第１実施形態と同一の作用を奏する部分には、同一の符号を付することによりその部分の詳細な説明を省略し、主に他の実施形態と異なる点を説明する。
【０１２１】  図５に示されるように、画像露光装置１００は、画像表示装置１１０と、ＮＤフィルタ１２０と、ファイバーオプティックプレート１３０と、複数のインスタントフィルム（不図示）を収納するケース１４４で構成されるフィルムパック１４０と、備える。
【０１２２】  第１実施形態と異なり、第２実施形態の画像表示装置１１０は、一次元状である。一次元とは、Ｘ−Ｙ方向の一方の方向に延びる状態を意味する。図５に示されるように、画像表示装置１１０はＸ方向に延びている。画像表示装置１１０は、一次元状に配列された画素を有している。
【０１２３】  画像表示装置１１０は、インスタントフィルムのＸ方向とほぼ同じ長さである。一方で、画像表示装置１１０は一次元であるので、画像表示装置１１０のＹ方向の長さは、インスタントフィルムのＹ方向の長さより短い。画像表示装置１１０はインスタントフィルムの露光面より小さいことになる。
【０１２４】  第２実施形態では、インスタントフィルムを露光するため、画像表示装置１１０は、画素の配列方向であるＸ方向に対して垂直方向であるＹ方向に沿って走査される。
【０１２５】  図５に示されるように、画像露光装置１００は、画像表示装置１１０を走査するための走査部２００を備える。走査部２００は、画像表示装置１１０の両端を支持する支持部２１０と、フィルムパック１４０を支持する支持台２２０と、支持台２２０に内蔵される駆動部（不図示）と、を備える。支持台２２０はレール２５０を備え、駆動部は支持部２１０をレール２５０に沿ってＹ方向に走査することができる。
【０１２６】  走査部２００が画像表示装置１１０を垂直方向に走査しながら、画像表示装置１１０はインスタントフィルムを順次露光することができる。画像表示装置１１０の画像表示と、走査部２００の駆動とを、同期させるため不図示の制御部を備えることが好ましい。
【０１２７】  画像表示装置１１０の画素からの光は、ＮＤフィルタ１２０およびファイバーオプティックプレート１３０を通過し平行光になる。この平行光がインスタントフィルム１４２の露光面１４２Ａに到達し、インスタントフィルム１４２を順次露光することができる。
【０１２８】  ＮＤフィルタ１２０は、インスタントフィルム１４２の露光面１４２Ａに到達する迷光を大幅に低減する。露光後、現像処理がインスタントフィルム１４２に行われる。インスタントフィルム１４２には、画像ぼけのほとんどない、画像が形成され、画質の低下が抑制されることは、上述した原理から容易に理解できる。
【０１２９】  図６は第２実施形態の画像露光装置１００の変形例を示す。変形例の画像露光装置１００は、画像表示装置１１０と、ＮＤフィルタ１２０と、ファイバーオプティックプレート１３０と、インスタントフィルム１４２を収納するケース１４４で構成されるフィルムパック１４０を着脱自在に支持する筐体１４８と、備える。
【０１３０】  変形例の画像露光装置１００では、ＮＤフィルタ１２０と、ファイバーオプティックプレート１３０とが、画像表示装置１１０の画素の配列方向と同様にＸ方向に延びる一次元状で構成される。
【０１３１】  走査部２００は、画像表示装置１１０と、ＮＤフィルタ１２０と、ファイバーオプティックプレート１３０とを、画像表示装置１１０の画素の配列方向に対して垂直方向に沿って走査しながら、画像表示装置１１０はインスタントフィルム１４２を順次露光することができる。
【０１３２】  画像表示装置１１０の画素からの光は、ＮＤフィルタ１２０およびファイバーオプティックプレート１３０を通過し平行光になる。この平行光がインスタントフィルム１４２に到達し、インスタントフィルム１４２の露光面１４２Ａを順次露光することができる。
【０１３３】  ＮＤフィルタ１２０は、インスタントフィルム１４２の露光面１４２Ａに到達する迷光を大幅に低減する。露光後、現像処理がインスタントフィルム１４２に行われる。インスタントフィルム１４２には、画像ぼけのほとんどない、画像が形成され、画質の低下が抑制されることは、上述した原理から容易に理解できる。
【０１３４】  画像表示装置１１０を走査しながら露光する場合を説明したが、画像表示装置１１０とインスタントフィルム１４２とが相対的に走査できれば、インスタントフィルムを走査しながら露光してもよい。すなわち、画像表示装置１１０及びインスタントフィルム１４２の少なくとも一方を走査させればよい。
【０１３５】  ＜第３実施形態＞  第３実施形態について図７を参照して説明する。なお、上述した第１実施形態および第２実施形態と同一の作用を奏する部分には、同一の符号を付することによりその部分の詳細な説明を省略し、主に他の実施形態と異なる点を説明する。
【０１３６】  図７に示されるように、画像露光装置１００は、画像表示装置１１０と、ＮＤフィルタ１２０と、ファイバーオプティックプレート１３０と、複数のインスタントフィルム（不図示）を収納するケース１４４で構成されるフィルムパック１４０を着脱自在に支持する筐体１４８と、走査部２００と、を備える。
【０１３７】  第１実施形態と異なり、第３実施形態の画像表示装置１１０は、二次元状である。また、画像表示装置１１０は感光性記録媒体であるインスタントフィルムの露光面より小さい面積となる領域の上に二次元状に配列された画素を有している。複数の画素は、例えば、行列状に二次元状に配列されることが好ましい。
【０１３８】  インスタントフィルムを露光するため、第２実施形態と同様に、第３実施形態は、走査部２００を備える。一方で、第２実施形態と異なり、第３実施形態の走査部２００は、画像表示装置１１０をＹ方向に走査するだけでなく、Ｘ方向にも走査することができる。
【０１３９】  例えば、行列状に二次元状に配列された画素では、行方方向をＸ方向とした場合、行方向（Ｘ方向）と行方向（Ｘ方向）に対して垂直となる方向（Ｙ方向）の両方向に沿って、走査部を走査させることが好ましい。
【０１４０】  したがって、走査部２００は、ボールネジ２３０と、ボールネジ２３０に係合するナットを備える移動部２４０と、を備える。ボールネジ２３０の回転運動により、移動部２４０はＸ方向に移動できる。移動部２４０は、画像表示装置１１０を保持するための保持部（不図示）を有することが好ましい。
【０１４１】  走査部２００が画像表示装置１１０をＸ方向とＹ方向とに走査しながら、画像表示装置１１０はインスタントフィルムを順次露光することができる。画像表示装置１１０の画像表示と、走査部２００の駆動とを、同期させるため不図示の制御部を備えることが好ましい。
【０１４２】  第３実施形態では、画像表示装置１１０より大きな露光面を有する感光性記録媒体に露光する場合に有効に適用することができる。
【０１４３】  画像表示装置１１０の画素からの光は、ＮＤフィルタ１２０およびファイバーオプティックプレート１３０を通過し平行光になる。この平行光がインスタントフィルム１４２に到達し、インスタントフィルム１４２を順次露光することができる。
【０１４４】  ＮＤフィルタ１２０は、インスタントフィルム１４２に到達する迷光を大幅に低減する。露光後、現像処理がインスタントフィルム１４２に行われる。インスタントフィルム１４２には、画像ぼけのほとんどない、画像が形成され、画質の低下が抑制されることは、上述した原理から容易に理解できる。
【０１４５】  図８は第３実施形態の画像露光装置１００の変形例を示す。変形例の画像露光装置１００は、画像表示装置１１０と、ＮＤフィルタ１２０と、ファイバーオプティックプレート１３０と、インスタントフィルム１４２を収納するケース１４４で構成されるフィルムパック１４０を着脱自在に支持する筐体１４８と、走査部２００と、を備える。
【０１４６】  変形例の画像露光装置１００では、ＮＤフィルタ１２０と、ファイバーオプティックプレート１３０とが、画像表示装置１１０と同様に感光性記録媒体であるインスタントフィルム１４２より小さい二次元状である。
【０１４７】  走査部２００が、画像表示装置１１０と、ＮＤフィルタ１２０と、ファイバーオプティックプレート１３０と、をＸ方向とＹ方向とに走査しながら、画像表示装置１１０はインスタントフィルム１４２を順次露光することができる。画像表示装置１１０の画像表示と、走査部２００の駆動とを、同期させるため不図示の制御部を備えることが好ましい。
【０１４８】  画像表示装置１１０の画素からの光は、ＮＤフィルタ１２０およびファイバーオプティックプレート１３０を通過し平行光になる。この平行光がインスタントフィルム１４２の露光面１４２Ａに到達し、インスタントフィルム１４２を順次露光することができる。
【０１４９】  ＮＤフィルタ１２０は、インスタントフィルム１４２の露光面１４２Ａに到達する迷光を大幅に低減する。露光後、インスタントフィルム１４２に現像処理が行われる。インスタントフィルム１４２には、画像ぼけのほとんどない、画像が形成され、画質の低下が抑制されることは、上述した原理から容易に理解できる。
【０１５０】  画像表示装置１１０をＸ方向とＹ方向とに走査しながら露光する場合を説明したが、画像表示装置１１０とインスタントフィルム１４２とが相対的に走査できれば、インスタントフィルムをＸ方向とＹ方向とに走査しながら、露光してもよい。すなわち、画像表示装置１１０及びインスタントフィルム１４２の少なくとも一方をＸ方向とＹ方向の両方向に沿って走査させればよい。
【０１５１】  第２実施形態と第３実施形態では、画像表示装置が感光性記録媒体より小さい。画像表示装置の画素からの光による露光範囲において、隣り合う露光範囲が一部重複してもよい。露光範囲の一部を重複させない場合、感光性記録媒体の上に未露光領域が発生する懸念がある。未露光領域に起因する感光性記録媒体に画像が形成されない状態を回避することが好ましい。
【符号の説明】
【０１５２】１０  画像露光装置２０  画像表示装置２０ｏｕｔ  出射面２１  画素２２  光２２Ａ  平行光２２Ｂ  迷光２３  画像表示面４０  感光性記録媒体４０Ａ  露光面４０ｉｎ  入射面５０  コリメート部５０ｉｎ  入射面５０ｏｕｔ  出射面６０  吸収層６０ｉｎ  入射面６０ｏｕｔ  出射面７０  感光性記録媒体支持部１００  画像露光装置１１０  画像表示装置１２０  ＮＤフィルタ１３０  ファイバーオプティックプレート１４０  フィルムパック１４２  インスタントフィルム１４２Ａ  露光面１４２Ｂ  観察面１４４  ケース１４６  開口部１４８  筐体２００  走査部２１０  支持部２２０  支持台２３０  ボールネジ２４０  移動部２５０  レール
【図１】
2019059176.tif 000008
【図２】
2019059176.tif 000009
【図３】
2019059176.tif 000010
【図４】
2019059176.tif 000011
【図５】
2019059176.tif 000012
【図６】
2019059176.tif 000013
【図７】
2019059176.tif 000014
【図８】
2019059176.tif 000015
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
画素を有する画像表示装置と、
前記画像表示装置の画像を記録する感光性記録媒体を、前記感光性記録媒体の露光面を前記画像表示装置に対向させて支持する感光性記録媒体支持部と、
前記画像表示装置と前記感光性記録媒体支持部との間に設けられ、前記画素からの光を平行光にするコリメート部と、
前記画像表示装置と前記感光性記録媒体支持部との間に設けられ、前記画素からの光の光透過率が０．００１％以上５０％以下である吸収層と、
を備える画像露光装置。
【請求項２】
前記吸収層が、ニュートラルデンシティーフィルタである請求項１に記載の画像露光装置。
【請求項３】
前記コリメート部が、スリット、ファイバーオプティックプレート、キャピラリプレート、及び、複数の開口を有する透過部材を３層以上積層してなる光制御部から選ばれる少なくとも１つである請求項１又は２に記載の画像露光装置。
【請求項４】
前記吸収層の光透過率が、２０％以下である請求項１から３のいずれか１項に記載の画像露光装置。
【請求項５】
（削除）
【請求項６】
前記画像表示装置から前記感光性記録媒体支持部に支持された前記感光性記録媒体の前記露光面の位置に直接的に到達する光量をＡ、前記画像表示装置から前記感光性記録媒体の前記露光面の位置に間接的に到達する光量をＢとしたとき、Ｂ／Ａが１／１００００以下である請求項１から４のいずれか１項に記載の画像露光装置。
【請求項７】
前記画像表示装置が二次元状に配列された画素を有し、
前記感光性記録媒体の前記露光面の二次元状の全ての領域を同時に露光する請求項１から４、及び６のいずれか１項に記載の画像露光装置。
【請求項８】
前記画像表示装置が一次元状に配列された前記画素を有し、
前記画像表示装置及び前記感光性記録媒体支持部に支持された前記感光性記録媒体の少なくともいずれか一方を、前記画像表示装置の前記画素の配列方向に対して垂直となる方向に沿って走査する走査部、を備える請求項１から４、及び６のいずれか１項に記載の画像露光装置。
【請求項９】
前記画像表示装置が、前記感光性記録媒体の前記露光面より小さい面積となる領域の上に二次元状に配列された画素を有し、
前記画像表示装置及び前記感光性記録媒体支持部に支持された前記感光性記録媒体の少なくともいずれか一方を前記画像表示装置の前記画素の配列方向と前記画素の配列方向に対して垂直となる方向の両方に沿って走査する走査部を備える請求項１から４、及び６のいずれか１項に記載の画像露光装置。
【請求項１０】
前記画素からの光による露光範囲において、隣り合う前記露光範囲が一部重複する請求項８又は９に記載の画像露光装置。
【請求項１１】
前記画像表示装置が、着脱自在である請求項１から４、及び６から１０の何れか１項に記載の画像露光装置。
【請求項１２】
画素を有する画像表示装置を準備するステップと、
前記画像表示装置の画像を記録する感光性記録媒体を、前記感光性記録媒体の露光面を前記画像表示装置に対向させて支持する感光性記録媒体支持部を準備するステップと、
前記画像表示装置と前記感光性記録媒体支持部との間に配置された、前記画素からの光を平行光にするコリメート部と、前記画素からの光の光透過率が０．００１％以上５０％以下である吸収層とを介して、前記画像表示装置からの光を、前記感光性記録媒体に露光するステップと、
を含む画像露光方法。
【手続補正書】
【提出日】令和2年5月14日(2020.5.14)
【手続補正１】
【補正対象書類名】明細書
【補正対象項目名】００１４
【補正方法】変更
【補正の内容】
【００１４】
第８形態の画像露光装置において、画像表示装置が一次元状に配列された画素を有し、画像表示装置及び感光性記録媒体支持部に支持された感光性記録媒体の少なくともいずれか一方を、画像表示装置の画素の配列方向に対して垂直方向に走査する走査部、を備える。
【手続補正２】
【補正対象書類名】明細書
【補正対象項目名】００３７
【補正方法】変更
【補正の内容】
【００３７】
スリット（ルーバーと称される）は、複数の光透過部と、隣接する空間に光到達しないようにする光吸収体とから構成される。ファイバーオプティックプレートは、二次元的に複数配列された、光を転送する光ファイバーと、光ファイバーから漏れた光を吸収する吸収体ガラスと、を含むプレートである。キャピラリプレートは、二次元的に複数配列された、数十μｍ以下の径を有する毛細管（キャピラリ）の集合体からなるプレートである。
【手続補正３】
【補正対象書類名】明細書
【補正対象項目名】００５０
【補正方法】変更
【補正の内容】
【００５０】
空気層Ａ１、Ａ２、およびＡ３の屈折率は１である。画像表示装置２０と、吸収層６０、コリメート部５０、および感光性記録媒体４０のそれぞれの屈折率は、略１．５である。そのため、画像表示装置２０と空気層Ａ１との界面である出射面２０ｏｕｔでは、光の反射が生じる。同様に、空気層Ａ１と吸収層６０との界面である入射面６０ｉｎ、吸収層６０と空気層Ａ２との界面である出射面６０ｏｕｔ、空気層Ａ２とコリメート部５０との界面である入射面５０ｉｎ、コリメート部５０と空気層Ａ３との界面である出射面５０ｏｕｔ、および空気層Ａ３と感光性記録媒体４０との界面である入射面４０ｉｎにおいて、光の反射が発生する。
【手続補正４】
【補正対象書類名】明細書
【補正対象項目名】００７０
【補正方法】変更
【補正の内容】
【００７０】
１．７％の反射光は、コリメート部５０、吸収層６０を通過して、画像表示装置２０の出射面２０ｏｕｔで反射される。この光は、１００％の光量の光に対して、０．０３％の光量の光になる。
【手続補正５】
【補正対象書類名】明細書
【補正対象項目名】００７３
【補正方法】変更
【補正の内容】
【００７３】
画像表示装置２０からの光であって感光性記録媒体支持部７０に支持された感光性記録媒体４０の露光面４０Ａの位置に直接的に到達する平行光２２Ａの光量と、画像表示装置２０からの光であって感光性記録媒体支持部７０に支持された感光性記録媒体４０の露光面４０Ａの位置に間接的に到達する迷光２２Ｂと光量との差が大きくない場合に、画像のぼけとして現れる。平行光２２Ａの光量と迷光２２Ｂの光量との差は、以下の比で確認することができる。
【手続補正６】
【補正対象書類名】明細書
【補正対象項目名】００７４
【補正方法】変更
【補正の内容】
【００７４】
上述の実施形態において、この反射光は迷光として、吸収層６０およびコリメート部５０を通過して感光性記録媒体４０に到達する。この光は、１００％の光量の光に対して、０．０１２％の光量の光になる。
【手続補正７】
【補正対象書類名】明細書
【補正対象項目名】００８３
【補正方法】変更
【補正の内容】
【００８３】
迷光以外にも、コリメート部の入射面および出射面で反射した光、または画像表示装置に戻ってから内部で反射して放射される光などがある。感光性記録媒体に到達した８８．５％の平行光以外の１１．５％の光が、画像露光装置の内部で迷光となり、感光性記録媒体に到達する懸念がある。
【手続補正８】
【補正対象書類名】明細書
【補正対象項目名】００９２
【補正方法】変更
【補正の内容】
【００９２】
画像露光装置１０を構成する画像表示装置２０、吸収層６０、コリメート部５０、および感光性記録媒体４０の特性値（屈折率、吸収率等）から、容易に平行光２２Ａと迷光２２Ｂの光量の比を求めることができる。
【手続補正９】
【補正対象書類名】明細書
【補正対象項目名】０１２３
【補正方法】変更
【補正の内容】
【０１２３】
画像表示装置１１０は、インスタントフィルムのＸ方向の長さとほぼ同じ長さである。一方で、画像表示装置１１０は一次元であるので、画像表示装置１１０のＹ方向の長さは、インスタントフィルムのＹ方向の長さより短い。画像表示装置１１０はインスタントフィルムの露光面より小さいことになる。
【手続補正１０】
【補正対象書類名】明細書
【補正対象項目名】０１２９
【補正方法】変更
【補正の内容】
【０１２９】
図６は第２実施形態の画像露光装置１００の変形例を示す。変形例の画像露光装置１００は、画像表示装置１１０と、ＮＤフィルタ１２０と、ファイバーオプティックプレート１３０と、インスタントフィルム１４２を収納するケース１４４で構成されるフィルムパック１４０を着脱自在に支持する筐体１４８と、を備える。
【手続補正１１】
【補正対象書類名】明細書
【補正対象項目名】０１３９
【補正方法】変更
【補正の内容】
【０１３９】
例えば、行列状に二次元状に配列された画素では、行方向をＸ方向とした場合、行方向（Ｘ方向）と行方向（Ｘ方向）に対して垂直となる方向（Ｙ方向）の両方向に沿って、走査部を走査させることが好ましい。
【国際調査報告】
2019059176.tif 000016
2019059176.tif 000017
2019059176.tif 000018
2019059176.tif 000019